(57)【要約】　　　（修正有）【課題】流体の磁気的活性化を図るに際して、短い流路を通過する流体に対して回転運動を与えることにより実質的に流路経路を長くとることが出来、流体の磁気的活性化がより効率化し、かつ永久磁石又は電磁石による外部への漏洩をなくし、コンパクトな構造で効率よく流体に磁力線を投入することが出来、流体の漏洩もない効率的な流体の磁気的活性化装置を提供する。【解決手段】流体が回転運動をしながら流路を通過するようにするために、所定断面形状に形成した流路の内壁を螺旋状構造に形成し、流路は前記流体が外部に漏洩しないようにシール体にて形成し、シール体は反磁性体を含む常磁性体材料で形成し、シール体の外側を永久磁石又は電磁石にて囲繞する如く配設して回転運動しながら通過する流体に磁力線を付与することを特徴とする流体の磁気的活性化装置。【選択図】図１
2004108758.tif 000002
【特許請求の範囲】
【請求項１】
流体が回転運動をしながら流路を通過するようにするために、所定断面形状に形成した流路の内壁を螺旋状構造に形成し、該流路は前記流体が外部に漏洩しないようにシール体にて形成し、該シール体は反磁性体を含む常磁性体材料で形成し、該シール体の外側を永久磁石又は電磁石にて囲繞する如く配設して回転運動しながら通過する流体に磁力線を付与することを特徴とする流体の磁気的活性化装置。
【請求項２】
前記流路内壁の螺旋状構造はコイル巻線条にて形成し、前記シール体は合成樹脂製薄肉チューブで形成したことを特徴とする請求項１記載の流体の磁気的活性化装置。
【請求項３】
前記流路内壁の螺旋状構造及び前記シール体は反磁性体を含む常磁性体材料で形成したパイプの内壁に流体が回転運動をする螺旋状の螺子を刻設したことを特徴とする請求項１記載の流体の磁気的活性化装置。
【請求項４】
請求項３記載の反磁性体を含む常磁性体材料はアルミニウム、クローム、白金、合成樹脂等の常磁性体又は銅、金、銀等の反磁性体であることを特徴とする請求項１又は３記載の流体の磁気的活性化装置。
【請求項５】
前記永久磁石又は電磁石は、シール体を囲繞するようにして直方体の磁石をＮ極とＳ極が隣り合わせになるように複数個組み合わせたもの、若しくは断面円弧状曲面になっている磁石をＮ極とＳ極が隣り合わせになるように組み合わせたもの、又は断面リング型の筒状磁石であるか、あるいは断面矩形の直方体磁石又は断面アーチ型磁石をゴムやプラスチック材等の反磁性体を含む常磁性体を介して対向させたものであることを特徴とする請求項１、２、３又は４記載の流体の磁気的活性化装置。
【請求項６】
前記永久磁石又は電磁石は、外部に磁力線が漏洩しないように強磁性体で被覆形成されていることを特徴とする請求項１、２、３、４又は５記載の流体の磁気的活性化装置。
【発明の詳細な説明】
【０００１】
【発明の属する技術分野】
この発明は、永久磁石又は電磁石によってできる磁力線を流路中に投入し、該流路を通過する流体に回転運動を与えるようにした、流体の磁気的活性化装置に関し、特に燃料供給系統、水道水の供給系統、水や液体、気体等の各種流体の磁気的活性化装置に関する。
【０００２】
【従来の技術】
従来この種の装置は、永久磁石をパイプの外部から挟む構造のものが多いために、磁力のロスが大きく、外部へ磁力が漏洩することが多いなどの問題があった（例えば、特許文献１及び特許文献２参照）。
また、内部に組み込む構造のものも、単にＮ極とＳ極の間に流体を通過させるだけであつた（例えば、特許文献３及び特許文献４参照）。
【０００３】
【特許文献１】
特開平１０−２８９７２号公報
【特許文献２】
特開２００１−０４７０５５号公報
【特許文献３】
特公平８−１６４６７号公報
【特許文献４】
特開平１１−１２５１５７号公報
【０００４】
本発明は、上記の点に鑑みてなされたもので、その目的とするところは、流体の磁気的活性化を図るに際して、短い流路を通過する流体に対して回転運動を与えることにより実質的に流路経路を長くとることが出来、流体の磁気的活性化がより効率化し、かつ永久磁石又は電磁石による外部への漏洩をなくし、コンパクトな構造で効率よく流体に磁力線を投入することが出来、流体の漏洩もない効率的な流体の磁気的活性化装置を提供することにある。
【０００５】
【課題を解決するための手段】
本発明に係る流体の磁気的活性化装置は、流体が回転運動をしながら流路を通過するようにするために、所定断面形状に形成した流路の内壁を螺旋状構造に形成し、該流路は前記流体が外部に漏洩しないようにシール体にて形成し、該シール体は反磁性体を含む常磁性体材料で形成し、該シール体の外側を永久磁石又は電磁石にて囲繞する如く配設して回転運動しながら通過する流体に磁力線を付与することを特徴とする。
【０００６】
請求項１記載の流体の磁気的活性化装置においては、前記流路内壁の螺旋状構造はコイル巻線条にて形成し、前記シール体は合成樹脂製薄肉チューブで形成したことを特徴とする。
【０００７】
請求項１記載の流体の磁気的活性化装置においては、前記流路内壁の螺旋状構造及び前記シール体は反磁性体を含む常磁性体材料で形成したパイプの内壁に流体が回転運動をする螺旋状の螺子を刻設したことを特徴とする。
【０００８】
請求項１又は３記載の流体の磁気的活性化装置においては、請求項３記載の反磁性体を含む常磁性体材料はアルミニウム、クローム、白金、合成樹脂等の常磁性体又は銅、金、銀等の反磁性体であることを特徴とする。
【０００９】
請求項１、２、３又は４記載の流体の磁気的活性化装置においては、前記永久磁石又は電磁石は、シール体を囲繞するようにして直方体の磁石をＮ極とＳ極が隣り合わせになるように複数個組み合わせたもの、若しくは断面円弧状曲面になっている磁石をＮ極とＳ極が隣り合わせになるように組み合わせたもの、又は断面リング型の筒状磁石であるか、あるいは断面矩形の直方体磁石又は断面アーチ型磁石をゴムやプラスチック材等の反磁性体を含む常磁性体を介して対向させたものであることを特徴とする。
【００１０】
請求項１、２、３、４又は５記載の流体の磁気的活性化装置においては、前記永久磁石又は電磁石は、外部に磁力線が漏洩しないように強磁性体で被覆形成されていることを特徴とする。
【００１１】
【発明の実施の形態】
以下、本発明の一実施例を図面に基づいて説明する。
図１は本発明の一実施例を示す断面図、図２は図１の断面図、図３は図１の分解斜視図、図４は永久磁石又は電磁石による磁力線の影響を示す拡大断面図である。
１は水、ガソリン、軽油当の液体又は気体等の流体が通る流路である。流路１の内壁は螺旋状構造に形成されている。本例では螺旋状構造はコイル巻線条２にて形成した場合を示す。流路１の内壁を螺旋状構造に形成することとしたのは、流体が回転運動をしながら流路を通過するようにするためである。しかし、流体の回転運動にあたっては効率よく回転させるために、流路径と螺旋状構造との関係が重要となる。例えば流路の直径が約５ｍｍとすると、太さが約０．８から１．０ｍｍのコイル巻線条２の巻き数は長さ１ｃｍ当り９から１０回程度の巻数となるが、流路径が大きくなった場合、あるいは小さくなった場合はコイル巻線条２の巻き数、太さ及び流路径を考慮して決めなければならない。コイル巻線条２の材料はアルミニウム、クローム、白金、合成樹脂等の常磁性体又は銅、金、銀等の反磁性体を使用する。
【００１２】
３は流体が流路１から外部に漏洩しないようにするために形成したシール体で、本例ではシール体３を合成樹脂製薄肉チューブ３ａで形成した場合を示す。シール体３は反磁性体を含む常磁性体材料で形成することによりシール体３の外側に設ける永久磁石又は電磁石４の磁力線がシール体３を透過して効率よく流路１に磁力線を投入することが出来る。永久磁石又は電磁石４はシール体３を囲繞する如くシール体３の外側に配設されている。
【００１３】
永久磁石又は電磁石４の配列法として、シール体３を囲繞するようにして図１〜図４に示すように、直方体の磁石をＮ極とＳ極が隣り合わせになるように複数個（本例では４個の場合を示す）組み合わせたもの、若しくは断面円弧状曲面になっている磁石をＮ極とＳ極が隣り合わせになるように組み合わせたもの、又は断面リング型の筒状磁石あるいは断面矩形の直方体磁石をゴムやプラスチック材等を介して対向させたもの等が採用される。
４個の磁石を組合わせた場合、Ｎ極／Ｓ極を交互にしたもの。Ｎ極をすべて内側にしたもの。Ｓ極をすべて内側にしたもの。また、２個の磁石を組合わせた場合、Ｎ極とＳ極を向かい合わせにしたもの。Ｎ極とＮ極を向かい合わせにしたもの。Ｓ極とＳ極を向かい合わせにしたものがある。
【００１４】
本実施例では流路１の内壁の螺旋状構造をコイル巻線条２で形成し、そのコイル巻線条２を被覆するシール体３を合成樹脂製薄肉チューブ３ａで形成した場合について述べたが、必ずしもこれに限定されるものではなく、螺旋状構造とシール体３を一体構造に形成しても良い。
すなわち、流路１の内壁の螺旋状構造及びシール体３は反磁性体を含む常磁性体材料で形成したパイプ３ｂの内壁に螺旋状の螺子３ｃを刻設する構造であっても良い。パイプ３ｂの肉厚は薄い方が好ましい。
パイプ３ｂの材料は前記した常磁性体又は反磁性体が使用される。
パイプ３ｂの内径及び螺旋状の螺子３ｃを刻設は流体が流路１中を回転運動視ながら通過するように配慮する必要がある。
【００１５】
図中、５は強磁性体で被覆形成されている筒状ケースで、永久磁石又は電磁石４からの磁力線が外部に漏洩しないようにしている。
６は筒状ケース５内に収納した永久磁石又は電磁石４を囲むようにして装填したゴム又は合成樹脂等の材料からなるシール材である。
なお、図中、７はブッシング、８はホース継ぎ手、９はＯリング、１０は磁力線をそれぞれ示す。
【００１６】
図５（ａ）〜（ｅ）は永久磁石又は電磁石の組合わせ例を示す斜視図である。図６（ａ）〜（ｆ）は磁石のＮ極とＳ極の各種組合わせ例である。
図７は本発明の他の実施例を示すシール体に被覆されたコイル巻線条と磁石との関係を示す斜視図、図８は磁石の外側を強磁性体の筒状ケースで被覆した状態を示す斜視図、図９（ａ）〜（ｃ）は本装置の組立状態とその分解斜視図を示す。図１０は本装置と接続部品との接続関係を示す分解斜視図、図１１は本装置と接続部品との接続関係を示す分解斜視図、図１２は本装置を水道の蛇口に取付ける例を示す説明図、図１３は本装置を配管に取付ける例を示す説明図である。
【００１７】
【実施例】
実施例１
流路径約４ｍｍで、太さ約１ｍｍのコイル巻線条は巻数１５で、長さが２２ｍｍである。コイル巻線条を熱収縮チューブからなるシール体にて被覆形成した。シール体の外側にはそのシール体を囲むようにして高さ５ｍｍ、幅１２ｍｍ、長さ１２ｍｍの直方体からなる強力な永久磁石４個を断面矩形状に配置し、その外側を強磁性体の筒状ケースで覆った。両側を図１に示すような接続具を介して燃料供給系統に接続した。本装置をトヨタ・チェイサー（ガソリン・２５００ｃｃ・型式Ｅ−ＪＺＸ８１）（　初年度登録平成２年１０月走行距離１００，０００ｋｍ）に取付けて、高速道走行テストを行なった。コースは都賀Ｉ．Ｃ〜郡山南Ｉ．Ｃ〜鹿沼Ｉ．Ｃである。
最初は本装置を設置しないで平成１３年１月３１日に、外気温４〜１℃で、風はやや向かい風（都賀〜郡山南）、走行速度１００ｋｍ／ｈで行なった。その結果は、走行距離：２７５．６ｋｍ、消費燃料：２７．６リットル、燃費：９．９８ｋｍ／リットルであった。
次に、本装置を上記車に設置して測定した。平成１３年四月２４日に、外気温１７〜１３℃で、風はやや向かい風（都賀〜郡山南）、走行速度１００ｋｍ／ｈで行なった。その結果は、走行距離：２７５．６ｋｍ、消費燃料：２２．０リットル、燃費：１２．５２ｋｍ／リットルであった。
試験の結果、１月と４月ということで外気温が違うが、本装置を取付けたものは取付けないものに比べて確実に燃費が向上していることが判明した。特に、２５００ＣＣのガソリン車で、１０万キロ以上走行している車で、燃費が１２ｋｍ／リットル以上という好結果が得られた。
【００１８】
【発明の効果】
本発明は上記の説明から判るように、流体の磁気的活性化を図るに際して、短い流路を通過する流体に対して回転運動を与えることにより実質的に流路経路を長くとることが出来、流体の磁気的活性化がより効率化することとなる。また、永久磁石又は電磁石の磁力が強力であろうとも外部への漏洩がないので、他の製品等に磁力線による悪影響を及ぼすことがない。
そして、本発明はコンパクトな構造で効率よく流体に磁力線を投入することが出来、流体の漏洩もない効率的な流体の磁気的活性化装置を得ることが出来る。
また、継ぎ手の形状を変えることができるので、パイプやホースなどに接続が可能であり、取り付けも容易である。水や燃料など様々な流体に使用できる。
形状や仕組みが簡単であるためコストが安く、交換部品もなく、半永久的に使用できるためランニングコストがかからず経済的である。
【図面の簡単な説明】
【図１】本発明の一実施例を示す断面図である。
【図２】図１の断面図である。
【図３】図１の分解斜視図である。
【図４】永久磁石又は電磁石による磁力線の影響を示す拡大断面図
【図５】（ａ）〜（ｅ）は永久磁石又は電磁石の組合わせ例を示す斜視図である。
【図６】（ａ）〜（ｆ）は磁石のＮ極とＳ極の各種組合わせ例である。
【図７】本発明の他の実施例を示すシール体に被覆されたコイル巻線条と磁石との関係を示す斜視図である。
【図８】磁石の外側を強磁性体の筒状ケースで被覆した状態を示す斜視図である。
【図９】（ａ）〜（ｃ）は本装置の組立状態とその分解斜視図を示す。
【図１０】本装置と接続部品との接続関係を示す分解斜視図である。
【図１１】本装置と接続部品との接続関係を示す分解斜視図である。
【図１２】本装置を水道の蛇口に取付ける例を示す説明図である。
【図１３】本装置を配管に取付ける例を示す説明図である。
【符号の説明】
１　流路　　　　　２　コイル巻線条　　　３　シール体
３ａ　合成樹脂製薄肉チューブ　　　　　　４　永久磁石又は電磁石
５　筒状ケース　　６　　シール材　　　　　７　ブッシング
８　ホース継ぎ手　　９　Ｏリング　　　　１０　磁力線
【図１】
2004108758.tif 000003
【図２】
2004108758.tif 000004
【図３】
2004108758.tif 000005
【図４】
2004108758.tif 000006
【図５】
2004108758.tif 000007
【図６】
2004108758.tif 000008
【図７】
2004108758.tif 000009
【図８】
2004108758.tif 000010
【図９】
2004108758.tif 000011
【図１０】
2004108758.tif 000012
【図１１】
2004108758.tif 000013
【図１２】
2004108758.tif 000014
【図１３】
2004108758.tif 000015